(57)【特許請求の範囲】
【請求項１】
生体内に移植され、皮下静脈と連結される皮下静脈接近ポートであって、
内側に薬物が供給される収容部が形成されるハウジング部；
前記ハウジング部の上端部に備えられ、前記収容部の上側を密閉するカバー膜部；
前記ハウジング部に備えられ、前記皮下静脈に挿入・連結され、前記皮下静脈と前記収容部とを連結する導管部； 
前記カバー膜部を介して光が外部に照射されるように発光する光源部；
前記ハウジング部に備えられる電源部；及び
前記ハウジング部に備えられ、前記電源部と前記光源部とを電気的に連結する基板部；を含み、
前記ハウジング部は、前記導管部が連結される結合ホールが貫通して形成される胴体部と、前記胴体部の内側を第１空間部と第２空間部とに区画する隔壁部と、を有し、
前記第１空間部は、前記隔壁部の上側に形成され、前記第２空間部は、前記隔壁部の下側に形成され、
前記収容部は、前記第１空間部と、前記カバー膜部の下部表面とによって形成される空間であって、
前記電源部及び前記基板部は、前記第２空間部に配置される皮下静脈接近ポート。
【請求項２】
前記光源部は、前記第１空間部の内周面に備えられ、前記カバー膜部の上面に光が放出されるように前記カバー膜部に向かって光を照射することを特徴とする、請求項１に記載の皮下静脈接近ポート。
【請求項３】
前記胴体部には、前記第２空間部の上面部から前記胴体部の内側に高さ方向に貫通して形成される第１貫通ホールと、前記第１貫通ホールと連結され、前記第１空間部の内周面に貫通して形成される第２貫通ホールと、が形成されることを特徴とする、請求項２に記載の皮下静脈接近ポート。
【請求項４】
前記第１貫通ホールに挿入され、下端部は前記基板部と電気的に連結され、上端部には前記第２貫通ホールに位置する前記光源部が備えられ、前記電源部から前記光源部に電気が伝達されるようにする支持部をさらに含むことを特徴とする、請求項３に記載の皮下静脈接近ポート。
【請求項５】
前記基板部の下部に備えられ、押し部が押されると前記光源部に電気が供給されるようにし、前記押し部の加圧が解除されると前記電気の供給が中止されるようにするスイッチ部と、
前記押し部が選択的に押されるようにし、前記スイッチ部をオン／オフにさせる作動部と、をさらに含むことを特徴とする、請求項４に記載の皮下静脈接近ポート。
【請求項６】
前記作動部は、
前記胴体部の下端部に円周方向に段差を有して形成される設置溝に密着するシーリング部と、
前記シーリング部に連結され、前記第２空間部を密閉し、上側に弾性的に変形しながら前記押し部を加圧し、下側に弾性的に変形しながら前記押し部の加圧が解除されるようにし、前記スイッチ部をオン／オフにさせるプレッシング部と、を有することを特徴とする、請求項５に記載の皮下静脈接近ポート。
【請求項７】
前記シーリング部を全体的に加圧し、前記作動部を前記胴体部に固定させる固定リング部をさらに含むことを特徴とする、請求項６に記載の皮下静脈接近ポート。
【請求項８】
前記設置溝に円周方向に沿って形成される複数の第１結合ホール及び前記第１結合ホールに対応するように前記シーリング部に貫通して形成される第２結合ホールに貫通・挿入され、前記第２結合ホールに対応するように前記固定リング部に貫通して形成される第３結合ホールに結合される締結部材によって前記作動部及び前記固定リング部が前記胴体部と結合されることを特徴とする、請求項７に記載の皮下静脈接近ポート。
【請求項９】
前記基板部に備えられ、外部の発信部から作動信号を受信する受信部と、
前記基板部に備えられ、前記受信部で前記作動信号を受信すると前記光源部が発光されるように制御する制御部と、をさらに含むことを特徴とする、請求項１に記載の皮下静脈接近ポート。
【請求項１０】
生体内に移植され、皮下静脈と連結される皮下静脈接近ポートであって、
内側に薬物が供給される収容部が形成されるハウジング部；
前記ハウジング部の上端部に備えられ、前記収容部の上側を密閉するカバー膜部；
前記ハウジング部に備えられ、前記皮下静脈に挿入・連結され、前記皮下静脈と前記収容部とを連結する導管部；及び
前記カバー膜部を介して光が外部に照射されるように発光する光源部；を含み、
前記光源部は、前記ハウジング部の内周面と前記カバー膜部との間に備えられ、前記カバー膜部によって加圧されると前記カバー膜部に光を発光する化学発光体であり、
前記ハウジング部は、第１直径を有する第１内周面部と、前記第１直径より大きい第２直径を有し、前記第１内周面部の上側に段差を有して形成される第２内周面部と、を有し、
前記光源部は、前記第１内周面部の上面部に備えられ、
前記カバー膜部は、前記第１内周面部に結合される第１カバー部と、前記第１カバー部の上部に形成され、前記第２内周面部に結合される第２カバー部と、を有し、前記第２カバー部は、加圧されると弾性的に変形しながら前記光源部を加圧することを特徴とする、皮下静脈接近ポート。
【請求項１１】
請求項１から１０のいずれか１項による皮下静脈接近ポート；及び
前記皮下静脈接近ポートのカバー膜部に貫通・挿入される針を介して前記収容部に薬物を注入する注射器；を含む薬物注入装置。
【発明の詳細な説明】
【技術分野】
【０００１】
本発明は、皮下静脈接近ポート及びこれを有する薬物注入装置に関し、より詳細には、人体に移植された状態で位置の識別が容易な皮下静脈接近ポート及びこれを有する薬物注入装置に関する。
【背景技術】
【０００２】
特に、皮下静脈接近ポートは、抗癌剤などの薬物を注入したり、輸血及び採血を行うために人体内に挿入される装置である。
【０００３】
一般に、皮下静脈接近ポートは、抗癌剤、抗生剤、血液製剤、非経口的栄養供給、輸液、鎮痛剤の間欠的又は継続的な注入が必要であったり、末梢血管の確保が困難であったり、家庭や医療機関で長期間治療を受けなければならない対象に挿入されている。皮下静脈接近ポートは、外観があまり見えなく、未使用時に消毒が不要であり、水泳又は入浴を可能にし、数ヶ月から数年にわたって使用が可能であるという長所を有する。
【０００４】
薬物注入装置は、人体の内部に移植され、薬物が供給されるチャンバーと、チャンバーと皮下静脈とを連結するカテーテル（Ｃａｔｈｅｔｅｒ）とを含む。チャンバーは、セルフシーリング（Ｓｅｌｆ  ｓｅａｌｉｎｇ）されるカバー膜で密閉され、注射針でカバー膜を刺して貫通させた後、薬物がチャンバーの内側に供給されるように構成する。
【０００５】
一方、移植されたチャンバーに薬物を注入する過程を見ると、一般に、施術者がチャンバーの移植部位を肉眼で確認し、チャンバーの周囲を手で掴み、カバー膜の位置を推測しながら注射針で刺すことになる。ところが、移植されたチャンバーは皮膚に隠れるので、肉眼で正確な位置を識別することが容易でなく、カバー膜は、チャンバーより小さく、注射針で刺すべき面積が小さいので、熟達した施術者でない場合、カバー膜に正確且つ安全に注射針を刺し込むことが難しい。
【０００６】
したがって、外部からもカバー膜の正確な位置が確認できる皮下静脈接近ポートが要求されている。
【先行技術文献】
【特許文献】
【０００７】
【特許文献１】韓国公開特許第２０１４−００９１０６２号公報
【発明の概要】
【発明が解決しようとする課題】
【０００８】
本発明が達成しようとする技術的課題は、人体に移植された状態で位置の識別が容易な皮下静脈接近ポート及びこれを有する薬物注入装置を提供することにある。
【０００９】
本発明が達成しようとする技術的課題は、以上で言及した技術的課題に制限されるものではなく、言及していない他の技術的課題は、下記の記載から本発明の属する技術分野で通常の知識を有する者であれば明確に理解できるだろう。
【課題を解決するための手段】
【００１０】
前記技術的課題を達成するために、本発明の一実施例は、生体内に移植され、皮下静脈と連結される皮下静脈接近ポートであって、内側に薬物が供給される収容部が形成されるハウジング部；前記ハウジング部の上端部に備えられ、前記収容部の上側を密閉するカバー膜部；前記ハウジング部に備えられ、前記皮下静脈に挿入・連結され、前記皮下静脈と前記収容部とを連結する導管部；及び前記カバー膜部を介して光が外部に照射されるように発光する光源部；を含む皮下静脈接近ポートを提供する。
【００１１】
本発明の実施例において、前記ハウジング部に備えられる電源部と、前記ハウジング部に備えられ、前記電源部と前記光源部とを電気的に連結する基板部とをさらに含んでもよい。
【００１２】
本発明の実施例において、前記ハウジング部は、前記導管部が連結される結合ホールが貫通して形成される胴体部と、前記胴体部の内側を第１空間部と第２空間部とに区画する隔壁部とを有し、前記光源部は、前記第１空間部の内周面に備えられ、前記カバー膜部の上面に光が放出されるように前記カバー膜部に向かって光を照射することができる。
【００１３】
本発明の実施例において、前記胴体部には、前記第２空間部の上面部から前記胴体部の内側に高さ方向に貫通して形成される第１貫通ホールと、前記第１貫通ホールと連結され、前記第１空間部の内周面に貫通して形成される第２貫通ホールとが形成されてもよい。
【００１４】
本発明の実施例において、前記第１貫通ホールに挿入され、下端部は前記基板部と電気的に連結され、上端部には前記第２貫通ホールに位置する前記光源部が備えられ、前記電源部から前記光源部に電気が伝達されるようにする支持部をさらに含んでもよい。
【００１５】
本発明の実施例において、前記基板部の下部に備えられ、押し部が押されると前記光源部に電気が供給されるようにし、前記押し部の加圧が解除されると前記電気の供給が中止されるようにするスイッチ部と、前記押し部が選択的に押されるようにし、前記スイッチ部をオン／オフ（ＯＮ／ＯＦＦ）にさせる作動部とをさらに含んでもよい。
【００１６】
本発明の実施例において、前記作動部は、前記胴体部の下端部に円周方向に段差を有して形成される設置溝に密着するシーリング部と、前記シーリング部に連結され、前記第２空間部を密閉し、上側に弾性的に変形しながら前記押し部を加圧し、下側に弾性的に変形しながら前記押し部の加圧が解除されるようにし、前記スイッチ部をオン／オフにさせるプレッシング部とを有してもよい。
【００１７】
本発明の実施例において、前記シーリング部を全体的に加圧し、前記作動部を前記胴体部に固定させる固定リング部をさらに含んでもよい。
【００１８】
本発明の実施例において、前記設置溝に円周方向に沿って形成される複数の第１結合ホール及び前記第１結合ホールに対応するように前記シーリング部に貫通して形成される第２結合ホールに貫通・挿入され、前記第２結合ホールに対応するように前記固定リング部に貫通して形成される第３結合ホールに結合される締結部材によって前記作動部及び前記固定リング部が前記胴体部と結合され得る。
【００１９】
本発明の実施例において、前記基板部に備えられ、外部の発信部から作動信号を受信する受信部と、前記基板部に備えられ、前記受信部で前記作動信号を受信すると前記光源部が発光されるように制御する制御部とをさらに含んでもよい。
【００２０】
本発明の実施例において、前記光源部は、前記ハウジング部の内周面と前記カバー膜部との間に備えられ、前記カバー膜部によって加圧されると前記カバー膜部に光を発光する化学発光体であってもよい。
【００２１】
本発明の実施例において、前記ハウジング部は、第１直径を有する第１内周面部と、前記第１直径より大きい第２直径を有し、前記第１内周面部の上側に段差を有して形成される第２内周面部とを有し、前記光源部は、前記第１内周面部の上面部に備えられ、前記カバー膜部は、前記第１内周面部に結合される第１カバー部と、前記第１カバー部の上部に形成され、前記第２内周面部に結合される第２カバー部とを有し、前記第２カバー部は、加圧されると弾性的に変形しながら前記光源部を加圧することができる。
【００２２】
一方、前記技術的課題を達成するために、本発明の一実施例は、皮下静脈接近ポート；及び前記皮下静脈接近ポートのカバー膜部に貫通・挿入される針を介して前記収容部に薬物を注入する注射器；を含む薬物注入装置を提供する。
【発明の効果】
【００２３】
本発明の実施例によると、光源部が備えられ、光源部から照射される光がカバー膜部を介して外側に放出されるように構成することによって、カバー膜部の位置が外部から肉眼でも容易に識別できる。
【００２４】
また、本発明の実施例によると、皮下静脈接近ポートを押す簡単な動作を行い、光源部から光が照射されるように構成できるので、カバー膜部の位置が迅速に把握できる。
【００２５】
また、本発明の実施例によると、皮下静脈接近ポートに受信部が備えられ、外部の発信部から作動信号を受信し、光源部から光が照射されるように構成することができる。
【００２６】
また、本発明の実施例によると、外部から加圧されて光を発光する化学発光体の光源部を用いて皮下静脈接近ポートを押す簡単な動作を行い、光源部から光が照射されるように構成することができる。
【００２７】
本発明の効果は、上述した効果に限定されるものではなく、本発明の詳細な説明又は特許請求の範囲に記載した発明の構成から推論可能な全ての効果を含むものと理解しなければならない。
【図面の簡単な説明】
【００２８】
【図１】本発明の第１実施例に係る薬物注入装置を示した例示図である。
【図２】本発明の第１実施例に係る皮下静脈接近ポートを示した斜視図である。
【図３】本発明の第１実施例に係る皮下静脈接近ポートを示した分解斜視図である。
【図４】図２のＡ−Ａ線断面図である。
【図５】図２のＢ−Ｂ線断面図である。
【図６】本発明の第１実施例に係る皮下静脈接近ポートを示した分解断面図である。
【図７】本発明の第２実施例に係る皮下静脈接近ポートを示した断面例示図である。
【図８】本発明の第３実施例に係る皮下静脈接近ポートを示した断面例示図である。
【図９】本発明の第３実施例に係る皮下静脈接近ポートを示した分解断面例示図である。
【発明を実施するための形態】
【００２９】
以下では、添付の図面を参照して本発明を説明する。しかし、本発明は、様々な異なる形態に具現可能であり、よって、ここで説明する実施例に限定されるものではない。そして、図面において、本発明を明確に説明するために説明と関係のない部分は省略し、明細書全体にわたって類似する部分に対しては類似する図面符号を付した。
【００３０】
明細書全体において、一つの部分が他の部分と「連結（接続、接触、結合）」されているとしたとき、これは、「直接連結」されている場合のみならず、その中間に他の部材を挟んで「間接的に連結」されている場合も含む。また、一つの部分が一つ構成要素を「含む」としたとき、これは、特別に反対の記載がない限り、他の構成要素を除外するのではなく、他の構成要素をさらに備えることができるということを意味する。
【００３１】
本明細書で使用した用語は、特定の実施例を説明するために使用されたものに過ぎず、本発明を限定するためのものではない。単数の表現は、文脈上、明らかに異なる意味を有していない限り、複数の表現を含む。本明細書において、「含む」又は「有する」などの用語は、明細書に記載の特徴、数字、段階、動作、構成要素、部品又はこれらの組み合わせの存在を指定するためのものであって、一つ又はそれ以上の他の特徴、数字、段階、動作、構成要素、部品又はこれらの組み合わせの存在又は付加可能性を予め排除しないものと理解しなければならない。
【００３２】
以下、添付の図面を参考にして本発明の実施例を詳細に説明する。
【００３３】
図１は、本発明の第１実施例に係る薬物注入装置を示した例示図である。
【００３４】
図１に示したように、薬物注入装置は、皮下静脈接近ポート１００及び注射器２００を含んでもよい。皮下静脈接近ポート１００は、生体内に移植されて位置してもよい。皮下静脈接近ポート１００は、身体の一部の組織に固定されてもよく、例えば、筋膜１０に固定されてもよい。皮下静脈接近ポート１００は、縫合糸２０によって身体の一部の組織に堅固に固定され得る。
【００３５】
注射器２００は、皮膚１１及び皮下静脈接近ポート１００のカバー膜部１３０を貫通して挿入される針２１０を有してもよく、針２１０を介して注入される薬物は皮下静脈接近ポート１００の収容部１２５に供給されてもよい。収容部１２５は、皮下静脈接近ポート１００の導管部１４０及びチューブ３０を介して皮下静脈１２と連結されてもよく、収容部１２５に供給される薬物は導管部１４０及びチューブ３０を介して皮下静脈１２に供給されてもよい。
【００３６】
図２は、本発明の第１実施例に係る皮下静脈接近ポートを示した斜視図で、図３は、本発明の第１実施例に係る皮下静脈接近ポートを示した分解斜視図で、図４は、図２のＡ−Ａ線断面図で、図５は、図２のＢ−Ｂ線断面図で、図６は、本発明の第１実施例に係る皮下静脈接近ポートを示した分解断面図である。
【００３７】
図２〜図６に示したように、皮下静脈接近ポート１００は、ハウジング部１１０、カバー膜部１３０、導管部１４０及び光源部１５０を含んでもよい。
【００３８】
そして、ハウジング部１１０は、胴体部１１１及び隔壁部１１２を有してもよい。
【００３９】
胴体部１１１はハウジング部１１０の胴体を形成してもよく、その内側には軸方向に空間が形成されてもよい。
【００４０】
隔壁部１１２は、胴体部１１１に水平方向に備えられてもよく、胴体部１１１の内側を第１空間部１１３と第２空間部１１４とに区画することができる。図６を参考にすると、隔壁部１１２を中心に、第１空間部１１３は隔壁部１１２の上側に形成され、第２空間部１１４は隔壁部１１２の下側に形成されてもよい。
【００４１】
また、胴体部１１１には、第２空間部１１４の上面部から胴体部１１１の内側に高さ方向に貫通して形成される第１貫通ホール１１５が形成されてもよい。そして、胴体部１１１には、第１貫通ホール１１５と連結され、第１空間部１１３の内周面に貫通して形成される第２貫通ホール１１６が形成されてもよい。
【００４２】
胴体部１１１の下端部の外側にはフランジ部１１７が形成されてもよく、フランジ部１１７には、円周方向に沿って予め定められた間隔で複数の貫通孔１１８が形成されてもよい。貫通孔１１８には、上述した縫合糸２０（図１参照）が結合されてもよい。
【００４３】
そして、胴体部１１１の下端部の内側には設置溝１２１が形成されてもよい。設置溝１２１は、胴体部１１１の円周方向に沿って段差を有して形成されてもよい。また、設置溝１２１には、円周方向に沿って複数の第１結合ホール１２２が形成されてもよい。
【００４４】
カバー膜部１３０は、第１空間部１１３に結合され、第１空間部１１３の上側を密閉することができる。また、カバー膜部１３０は第１空間部１１３の上部及び中央部に結合されてもよく、第２貫通ホール１１６はカバー膜部１３０によって密閉されてもよい。第１空間部１１３の下部はカバー膜部１３０によって空き空間に形成されてもよく、前記空き空間は、針２１０（図１参照）を介して供給される薬物が収容される収容部１２５となってもよい。すなわち、収容部１２５は、第１空間部１１３、及び第１空間部１１３に結合されるカバー膜部１３０の下面部によって形成される空間であってもよい。収容部１２５の上側及び第２貫通ホール１１６はカバー膜部１３０によって密閉され得るので、収容部１２５に供給される薬物は安定的に収容され得る。
【００４５】
カバー膜部１３０は、セルフシーリングされてもよく、セルフシーリングが可能な素材であれば特定に限定されることなく、多様に適用可能である。例えば、カバー膜部１３０は、シリコーン、シリコーンゴム、ラテックスなどの弾性重合体（Ｅｌａｓｔｏｍｅｒ）からなってもよい。
【００４６】
また、カバー膜部１３０は、上面が凸状に形成されてもよい。このような形状は、施術者が皮下静脈接近ポート１００を押すとき、うまく押されるように便宜性を提供することができる。
【００４７】
導管部１４０は、ハウジング部１１０に備えられ、皮下静脈１２（図１参照）に挿入・連結され、皮下静脈１２と収容部１２５とを連結することができる。導管部１４０は、ハウジング部１１０と皮下静脈１２とを直接連結したり、別途のチューブ３０（図１参照）とさらに連結されて使用されてもよい。
【００４８】
胴体部１１１には、導管部１４０が連結される結合ホール１２６が貫通して形成されてもよい。結合ホール１２６は、胴体部１１１に水平方向に形成されてもよく、第１空間部１１３と連結されるように形成されてもよい。そして、隔壁部１１２の底面には、結合ホール１２６と連結される溝部１２７が陥没して形成されてもよい。溝部１２７は、結合ホール１２６の直径に対応する直径を有するように形成されてもよい。これによって、結合ホール１２６に結合される導管部１４０は溝部１２７によって収容部１２５にスムーズに連結され得るので、隔壁部１１２によって導管部１４０の一部が塞がれ、管路の抵抗が増加することを防止することができる。これを通じて、収容部１２５に供給される薬物は、隔壁部１１２の溝部１２７を介して導管部１４０に効果的に流入し得る。
【００４９】
光源部１５０は、カバー膜部１３０を介して光が外部に照射されるように発光することができる。そして、光源部１５０は、第１空間部１１３の内周面に備えられてもよい。光源部１５０は、カバー膜部１３０に向かって光を照射することができ、光源部１５０から照射される光は、カバー膜部１３０を介してカバー膜部１３０の上面に放出され得る。光源部１５０から照射される光が貫通して外側に放出されるように、カバー膜部１３０は、光が通過し得る素材からなってもよい。
【００５０】
そして、皮下静脈接近ポート１００は、電源部１５１及び基板部１５２をさらに含んでもよい。
【００５１】
電源部１５１は、ハウジング部１１０に備えられてもよい。具体的に、電源部１５１は、ハウジング部１１０の第２空間部１１４に備えられてもよい。電源部１５１は、光源部１５０に供給される電気を提供することができる。
【００５２】
基板部１５２は、ハウジング部１１０に備えられてもよく、電源部１５１と光源部１５０とを電気的に連結することができる。基板部１５２は、ハウジング部１１０の第２空間部１１４に備えられてもよい。基板部１５２は印刷回路基板（ＰＣＢ）であってもよい。
【００５３】
また、皮下静脈接近ポート１００は支持部１５３を含んでもよい。支持部１５３は第１貫通ホール１１５に挿入されてもよいが、このとき、支持部１５３の下端部は基板部１５２と電気的に連結されてもよい。そして、支持部１５３の上端部には光源部１５０が備えられてもよく、光源部１５０は第２貫通ホール１１６に位置してもよい。支持部１５３は、電気が電源部１５１から光源部１５０に伝達されるように構成してもよく、これを通じて、光源部１５０は光を照射することができる。光源部１５０から照射される光は、カバー膜部１３０の側面に流入し、カバー膜部１３０の内側を通過してカバー膜部１３０の上面に放出され得る。支持部１５３は、印刷回路基板（ＰＣＢ）又は柔軟印刷回路基板（ＦＰＣＢ）であってもよく、光源部はＬＥＤであってもよい。
【００５４】
第１貫通ホール１１５、第２貫通ホール１１６、支持部１５３及び光源部１５０は複数で設けられてもよい。そして、第１貫通ホール１１５、第２貫通ホール１１６、支持部１５３及び光源部１５０は、皮下静脈接近ポート１００の中心軸を基準にして対称的に設けられてもよく、円周方向に沿って予め定められた角度間隔で設けられてもよい。これによって、光源部１５０から光が照射されたとき、カバー膜部１３０から放出される光は、皮膚の外側から見たとき、カバー膜部１３０の上面形状に対応してもよく、カバー膜部１３０の外郭形状に対応してもよい。よって、施術者は、カバー膜部１３０の位置を容易且つ正確に認知することができる。
【００５５】
光源部１５０は、第２貫通ホール１１６に位置し、第２貫通ホール１１６から突出しないように位置してもよく、これを通じて、カバー膜部１３０がハウジング部１１０に結合するときの光源部１５０の破損を防止し、カバー膜部１３０の円滑な結合が可能である。
【００５６】
そして、皮下静脈接近ポート１００は、スイッチ部１６０、作動部１７０及び固定リング部１８０をさらに含んでもよい。
【００５７】
スイッチ部１６０は、基板部１５２の下部に備えられてもよい。そして、スイッチ部１６０は、押し部１６１を有してもよい。スイッチ部１６０は、押し部１６１が押されると光源部１５０に電気が供給されるようにし、押し部１６１の加圧が解除されると光源部１５０への電気供給が中止されるように構成してもよい。スイッチ部１６０としては、タクトスイッチ（Ｔａｃｔ  Ｓｗｉｔｃｈ）が使用されてもよいが、これに限定されることはない。
【００５８】
作動部１７０は、シーリング部１７１及びプレッシング部１７２を有してもよい。シーリング部１７１は、胴体部１１１の下端部に円周方向に段差を有して形成される設置溝１２１に挿入されて密着してもよい。シーリング部１７１には、設置溝１２１に形成される第１結合ホール１２２に対応するように第２結合ホール１７３が貫通して形成されてもよい。
【００５９】
プレッシング部１７２は、シーリング部１７１に連結され、第２空間部１１４を密閉するように形成されてもよい。プレッシング部１７２は、弾性変形が可能になるように形成されてもよい。プレッシング部１７２は、上側に弾性的に変形しながら押し部１６１を加圧することができ、下側に弾性的に変形しながら押し部１６１の加圧が解除されるように構成してもよい。すなわち、作動部１７０は、上側に備えられる押し部１６１が選択的に押されるようにし、スイッチ部１６０をオン／オフにさせることができる。作動部１７０は、シリコーン、シリコーンゴム、ラテックスなどの弾性重合体（Ｅｌａｓｔｏｍｅｒ）又は薄板チタンなどの金属素材で形成されてもよい。
【００６０】
また、プレッシング部１７２は、下面が凸状に形成されてもよい。このような形状は、施術者が皮下静脈接近ポート１００を押すとき、皮下静脈接近ポート１００が設けられた身体の一部の組織によってプレッシング部１７２がうまく押されるように便宜性を提供することができる。
【００６１】
皮下静脈接近ポート１００が移植された状態で、施術者がカバー膜部１３０を押して加圧すると、プレッシング部１７２は、皮下静脈接近ポート１００が固定された身体の一部の組織に押され、上向きに弾性的に変形し得る。そして、上向きに弾性的に変形するプレッシング部１７２がスイッチ部１６０の押し部１６１を押して加圧すると、スイッチ部１６０のオンによって電源部１５１から電気が供給され、光源部１５０は光を照射するようになる。すなわち、本発明によると、施術者は、必要時に皮下静脈接近ポート１００を押す簡単な動作を行い、カバー膜部１３０の位置を迅速且つ容易に把握することができる。薬物の注入が完了すると、皮下静脈接近ポート１００を押し、プレッシング部１７２が押し部１６１を再び押すことによって電気供給が中断されるようにし、光源部１５０をオフにさせることができる。
【００６２】
固定リング部１８０は、シーリング部１７１を全体的に加圧することによって作動部１７０を胴体部１１１に固定させることができる。固定リング部１８０には、シーリング部１７１の第２結合ホール１７３に対応するように第３結合ホール１８１が貫通して形成されてもよい。固定リング部１８０は、十分な強度を提供できるように金属素材で形成されてもよい。
【００６３】
第３結合ホール１８１には締結部材１８５が結合されてもよく、締結部材１８５は、第２結合ホール１７３を貫通して第１結合ホール１２２に結合されてもよい。これを通じて、作動部１７０及び固定リング部１８０は胴体部１１１に堅固に結合され得る。
【００６４】
図７は、本発明の第２実施例に係る皮下静脈接近ポートを示した断面例示図である。本実施例では、光源部に電気が供給されるように構成する点において差があり、他の構成は上述した第１実施例と同一であるので、それについての説明は省略する。
【００６５】
図７に示したように、本実施例に係る皮下静脈接近ポート３００は、受信部３１０及び制御部３２０をさらに含んでもよい。
【００６６】
受信部３１０は、基板部３５２に備えられてもよく、外部の発信部３３０から作動信号を受信することができる。受信部３１０は、超音波、ＩＲ（Ｉｎｆｒａｒｅｄ  Ｒａｙ）信号などを通信信号としてもよい。
【００６７】
制御部３２０は、基板部３５２に備えられてもよく、光源部３５０が光を照射できるようにする情報を有する作動信号を受信部３１０で受信すると、光源部３５０に電気が供給され、光源部３５０が発光されるように制御することができる。また、制御部３２０は、光源部３５０が光の照射を停止できるようにする情報を有する作動信号を受信部３１０が受信すると、光源部３５０に電気が供給されないようにするスイッチ（図示せず）を制御することができる。
【００６８】
本実施例では、第１実施例で説明した作動部１７０及び固定リング部１８０の構成は省略可能であり、胴体部３６０は、下端部が開放されていない状態で形成されてもよい。
【００６９】
図８は、本発明の第３実施例に係る皮下静脈接近ポートを示した断面例示図で、図９は、本発明の第３実施例に係る皮下静脈接近ポートを示した分解断面例示図である。
【００７０】
図８及び図９に示したように、本実施例に係る皮下静脈接近ポート４００において、ハウジング部４１０は、第１直径Ｄ１を有する第１内周面部４１１と、第１直径Ｄ１より大きい第２直径Ｄ２を有し、第１内周面部４１１の上側に段差を有して形成される第２内周面部４１２とを有してもよい。
【００７１】
そして、光源部４２０は、第１内周面部４１１の上面部に備えられてもよい。
【００７２】
カバー膜部４３０は、第１内周面部４１１に結合される第１カバー部４３１と、第１カバー部４３１の上部に形成され、第２内周面部４１２に結合される第２カバー部４３２とを有してもよい。
【００７３】
カバー膜部４３０がハウジング部４１０に結合されたとき、光源部４２０は、ハウジング部４１０の内周面とカバー膜部４３０との間に備えられてもよい。具体的に、光源部４２０は、第１内周面部４１１の上面部と第２カバー部４３２の下部との間に位置した状態であってもよい。そして、この状態で、カバー膜部４３０が外部の力によって押されると、加圧されながら弾性的に変形する第２カバー部４３２によって光源部４２０が加圧されることにより光が照射され得る。そして、光源部４２０から照射される光は、第１カバー部４３１の側面及び第２カバー部４３２の下面に流入し、第２カバー部４３２の上面を介して外側に発光する。ここで、光源部４２０は、外部から加圧されることによって光を発光する化学発光体であってもよい。
【００７４】
上述した本発明の説明は例示のためのものであって、本発明の属する技術分野で通常の知識を有する者であれば、本発明の技術的思想や必須的な特徴を変更せずとも他の具体的な形態に容易に変形可能であることを理解可能であろう。そのため、以上で記述した各実施例は、全ての面で例示的なものであって、限定的なものではないことを理解しなければならない。例えば、単一型と説明されている各構成要素は分散されて実施されてもよく、これと同様に、分散されたものと説明されている各構成要素も結合された形態で実施され得る。
【００７５】
本発明の範囲は、後述する特許請求の範囲によって示されており、特許請求の範囲の意味及び範囲、そして、その均等概念から導出される全ての変更又は変形した形態は本発明の範囲に含まれるものと解釈しなければならない。
【産業上の利用可能性】
【００７６】
本発明は、薬物が注入されるカバー膜部の位置が外部から肉眼でも容易に識別され得るので、抗癌剤、抗生剤、血液製剤、非経口的栄養供給、輸液、鎮痛剤の間欠的又は継続的な注入が必要であったり、末梢血管の確保が困難であったり、家庭や医療機関で長期間治療を受けなければならない患者に使用される皮下静脈接近ポートとして広く使用可能である。
【図１】
0006847475.tif 000002
【図２】
0006847475.tif 000003
【図３】
0006847475.tif 000004
【図４】
0006847475.tif 000005
【図５】
0006847475.tif 000006
【図６】
0006847475.tif 000007
【図７】
0006847475.tif 000008
【図８】
0006847475.tif 000009
【図９】
0006847475.tif 000010